(57)【要約】【課題】回転偏向器の回転駆動時に騒音が発生することを従来よりも安定的に抑制することができる光走査装置及びこれを備えた画像形成装置を提供する。【解決手段】光線を照射する光源と、光源から照射された光線を回転しながら反射し、偏向して光走査する回転偏向器であるポリゴンスキャナ６０と、光線の経路を形成する光学系形成部材と、吸音周波数の音を吸音する共鳴吸音器である吸音器８０と、を有する光走査装置である露光装置６において、吸音器８０として常温環境下における吸音周波数が互いに異なる複数の吸音器８０（ａ、ｂ、ｃ）を備え、複数の吸音器８０のうち常温環境下における吸音周波数と、ポリゴンスキャナ６０が回転駆動することによって生じる音に含まれる吸音対象となる音の周波数との差が最も小さい常温対応共鳴吸音器としての第一吸音器８０ａを、ポリゴンスキャナ６０の下方に配置する。【選択図】図１
2015219455.tif 000002
【特許請求の範囲】
【請求項１】
光線を照射する光源と、
該光源から照射された光線を回転しながら反射し、偏向して光走査する回転偏向器と、
光線の経路を形成する光学系形成部材と、
吸音周波数の音を吸音する共鳴吸音器と、を有する光走査装置において、
上記共鳴吸音器として常温環境下における吸音周波数が互いに異なる複数の共鳴吸音器を備え、
該複数の共鳴吸音器のうち常温環境下における吸音周波数と、上記回転偏向器が回転駆動することによって生じる音に含まれる吸音対象となる音の周波数との差が最も小さい共鳴吸音器を常温対応共鳴吸音器としたときに、
該複数の共鳴吸音器のうちの少なくとも該常温対応共鳴吸音器を該回転偏向器の下方に配置したことを特徴とする光走査装置。
【請求項２】
請求項１に記載の光走査装置において、
上記複数の共鳴吸音器のうち常温対応共鳴吸音器以外の共鳴吸音器の少なくとも一つを上記回転偏向器よりも上方に配置したことを特徴とする光走査装置。
【請求項３】
請求項１または２の何れかに記載の光走査装置において、
上記回転偏向器及び上記光学系形成部材を保持する光学系保持部材と、該光学系保持部材を覆って密閉する光学系カバー部材とを有することを特徴とする光走査装置。
【請求項４】
請求項１乃至３の何れかに記載の光走査装置において、
上記共鳴吸音器は、空洞部を形成する壁面のうち該空洞部と外部とを連通する連通孔が設けられた壁面を形成する蓋部材と、該空洞部の他の壁面を形成する容器部材とを備え、
常温環境下における吸音周波数が互いに異なる上記複数の共鳴吸音器は、該蓋部材の該連通孔の寸法が互いに異なる構成であることを特徴とする光走査装置。
【請求項５】
潜像担持体の表面に光走査手段を用いて光線を照射することにより該潜像担持体の表面に潜像を形成し、該潜像を現像することで得た画像を最終的に記録材上に転移させることで画像を形成する画像形成装置において、
上記光走査手段として、請求項１乃至４の何れかに記載の光走査装置を用いることを特徴とする画像形成装置。
【発明の詳細な説明】
【技術分野】
【０００１】
本発明は、光走査装置及びこの光走査装置を備えた画像形成装置に関するものである。
【背景技術】
【０００２】
プリンタ、複写機、ファクシミリなどの画像形成装置は、光源から出射された光線を、感光体に照射して潜像の書き込みを行う光走査装置を備えている。このような画像形成装置では、感光体上に形成された潜像を現像して可視像化した後、感光体から直接、または、中間転写体を介して可視像を転写材に転写した後、転写材上の可視像を定着して画像を得ている。
【０００３】
光走査装置は、光源、回転偏向器であるポリゴンスキャナ、光源からポリゴンスキャナまでの光線の経路に設置するポリゴン前光学系、走査レンズ、折り返しミラーなどを備えている。
ポリゴンスキャナは多面体のミラーが高速に回転し、光源からの光線を感光体上に走査して潜像を形成している。高速回転する多面体のミラーの風切り音などポリゴンスキャナは駆動時に音が生じ、これが装置外部に漏れると使用者等の画像形成装置の周辺にいる人間に不快感を与える騒音となるおそれがある。
特許文献１や特許文献２には、ポリゴンスキャナ駆動時に生じる音の周波数に対応した吸音周波数の共鳴吸音器を備えた光走査装置が記載されている。
【０００４】
共鳴吸音器は、ある程度の容積を持った空洞部と、この空洞部と外部とを連通する連通孔とによって形成される。そして、空洞部の体積を「Ｖ」、連通孔の断面積を「Ｓ」、連通孔の連通方向の長さを「Ｌ」とし、音速を「ｃ」とすると、共鳴吸音器によって吸音される音の周波数（以下、「吸音周波数」という）「ｆ」は、以下の（１）式によって求められる。
【０００５】
【数１】
2015219455.tif 000003
（δ：開口端補正）
【０００６】
このような共鳴吸音器を備えた光走査装置では、ポリゴンスキャナ駆動時に生じる音の一定の周波数の成分を共鳴吸音器が吸音することで、ポリゴンスキャナ駆動時に生じる音が装置外部に漏れて騒音が発生することを抑制することが可能となる。
また、特許文献１の光走査装置は、周波数の異なる音を吸音するため、吸音周波数が互いに異なる複数の共鳴吸音器を備えている。
【発明の概要】
【発明が解決しようとする課題】
【０００７】
しかしながら、ポリゴンスキャナを駆動時には音だけでなく、熱も発生し、周辺の空気を加熱する。この加熱によってポリゴンスキャナ周辺の空気の温度が上昇すると、音速が速くなり、上記（１）式における音速「ｃ」の値が大きくなることで共鳴吸音器が吸音する吸音周波数「ｆ」の値も変化する。吸音周波数「ｆ」の値が変化すると、ポリゴンスキャナの駆動時に生じる音の周波数に対して吸音周波数がシフトしてしまい、所望の吸音効果を得らず、ポリゴンスキャナ駆動時に騒音が発生することを抑制できなくなるという問題がある。
【０００８】
本発明は以上の問題点に鑑みなされたものであり、その目的は、回転偏向器の回転駆動時に騒音が発生することを従来よりも安定的に抑制することができる光走査装置及びこれを備えた画像形成装置を提供することである。
【課題を解決するための手段】
【０００９】
上記目的を達成するために、請求項１の発明は、光線を照射する光源と、該光源から照射された光線を回転しながら反射し、偏向して光走査する回転偏向器と、光線の経路を形成する光学系形成部材と、吸音周波数の音を吸音する共鳴吸音器と、を有する光走査装置において、上記共鳴吸音器として常温環境下における吸音周波数が互いに異なる複数の共鳴吸音器を備え、該複数の共鳴吸音器のうち常温環境下における吸音周波数と、上記回転偏向器が回転駆動することによって生じる音に含まれる吸音対象となる音の周波数との差が最も小さい共鳴吸音器を常温対応共鳴吸音器としたときに、該複数の共鳴吸音器のうちの少なくとも該常温対応共鳴吸音器を該回転偏向器の下方に配置したことを特徴とするものである。
【発明の効果】
【００１０】
本発明によれば、回転偏向器の回転駆動時に騒音が発生することを従来よりも安定的に抑制することができる、という優れた効果がある。
【図面の簡単な説明】
【００１１】
【図１】本実施形態の露光装置の概略断面図。
【図２】実施形態に係る複写機の概略構成図。
【図３】露光装置の概略断面と、感光体に向けて照射されるレーザ光の経路とを示す説明図。
【図４】光源部から照射された光線がポリゴンミラーに入射するまでに通過するポリゴン前光学系の構成例を示す露光装置の一部の斜視図。
【図５】露光装置におけるポリゴンスキャナ近傍の拡大断面図。
【図６】図５に示す断面における密閉空間の範囲を示す説明図。
【図７】ポリゴンスキャナを駆動させたときに生じる音の周波数毎の音圧のデータを示すグラフ。
【図８】露光装置に用いる吸音器の概略断面図。
【図９】吸音器の外観斜視図。
【図１０】常温環境下の状態での吸音周波数が７５０［Ｈｚ］となる吸音器の周辺の温度が変化したときの吸音周波数の変化を示すグラフ。
【図１１】露光装置の筐体と、吸音器との位置関係を示す正面図。
【図１２】露光装置が備える三つの吸音器について、その周辺の温度が変化したときの吸音周波数の変化を示すグラフ。
【図１３】参考構成例の露光装置の上面図。
【図１４】参考構成例の露光装置の側面図。
【発明を実施するための形態】
【００１２】
以下、本発明を画像形成装置としての複写機（以下、複写機５００という）に適用した実施形態について説明する。
図２は、複写機５００の概略構成図である。複写機５００は、複写装置本体（以下、プリンタ部１００という）、給紙テーブル（以下、給紙部２００という）及びプリンタ部１００上に取り付けるスキャナ（以下、スキャナ部３００という）から構成される。
【００１３】
プリンタ部１００は、四つのプロセスユニットとしてのプロセスカートリッジ１（Ｙ，Ｍ，Ｃ，Ｋ）、中間転写ベルト７、露光手段としての露光装置６、定着手段としての定着装置１２等を備えている。中間転写ベルト７は、複数の張架ローラに張架されて図２中の矢印Ａ方向に移動する中間転写体である。
四つのプロセスカートリッジ１の、符号の後に付されたＹ，Ｍ，Ｃ，Ｋという添字は、イエロー，マゼンタ，シアン，黒用の仕様であることを示している。四つのプロセスカートリッジ１（Ｙ，Ｍ，Ｃ，Ｋ）は、それぞれ使用するトナーの色が異なる他は、ほぼ同様の構成になっているので、以下、Ｋ，Ｙ，Ｍ，Ｃという添字を省略して説明する。
【００１４】
プロセスカートリッジ１は、潜像担持体である感光体２、帯電手段である帯電部材３、現像手段である現像装置４、及び、クリーニング手段である感光体クリーニング装置５を一体的に支持してユニット状とした構成となっている。各プロセスカートリッジ１は、それぞれの不図示のストッパーを解除することにより、複写機５００本体に対して着脱可能となっている。
【００１５】
感光体２は、図中の矢印で示すように、図中の時計周り方向に回転する。帯電部材３は、ローラ状の帯電ローラであり、感光体２の表面に圧接されており、感光体２の回転により従動回転する。作像時には、帯電部材３には図示しない高圧電源により所定のバイアスが印加され、感光体２の表面を帯電する。本実施形態のプロセスカートリッジ１は、帯電手段として、感光体２の表面に接触するローラ状の帯電部材３を用いているが、帯電手段としてはこれに限るものではなく、コロナ帯電などの非接触帯電方式を用いてもよい。
【００１６】
露光装置６は、スキャナ部３００で読み込んだ原稿画像の画像情報またはパーソナルコンピュータ等の外部装置から入力される画像情報に基づいて、感光体２の表面に対して露光し、感光体２の表面に静電潜像を形成する。プリンタ部１００が備える露光装置６は、光源にレーザーダイオードを用いたレーザービームスキャナ方式を用いている。
感光体クリーニング装置５は、中間転写ベルト７と対向する位置を通過した感光体２の表面上に残留する転写残トナーのクリーニングを行う。
【００１７】
四つのプロセスカートリッジ１は、それぞれイエロー、シアン、マゼンタ、ブラックの各色毎のトナー像を感光体２上に形成する。四つのプロセスカートリッジ１は、中間転写ベルト７の表面移動方向に並列に配設され、それぞれの感光体２上に形成されたトナー像を中間転写ベルト７に順に重ね合わせるように転写し、中間転写ベルト７上に可視像を形成する。
【００１８】
図２において、各感光体２に対して中間転写ベルト７を挟んで対向する位置には一次転写手段としての一次転写ローラ８が配置されている。一次転写ローラ８には不図示の高圧電源により一次転写バイアスが印加され、感光体２との間で一次転写電界を形成する。感光体２と一次転写ローラ８との間で一次転写電界が形成されることにより、感光体２の表面上に形成されたトナー像が中間転写ベルト７の表面に転写される。中間転写ベルト７を張架する複数の張架ローラのうちの一つが不図示の駆動モータにより回転することによって、中間転写ベルト７が図中の矢印Ａ方向に表面移動する。表面移動する中間転写ベルト７の表面上に各色のトナー像が順次重ねて転写されることによって、中間転写ベルト７の表面上にフルカラー画像が形成される。
【００１９】
四つのプロセスカートリッジ１が中間転写ベルト７と対向する位置に対して、中間転写ベルト７の表面移動方向下流側には、二次転写ローラ９が配置されている。二次転写ローラ９は、張架ローラの一つである二次転写対向ローラ９ａに対して中間転写ベルト７を挟んで対向する位置に配置され、中間転写ベルト７との間で二次転写ニップを形成する。二次転写ローラ９と二次転写対向ローラ９ａとの間に所定の電圧を印加して二次転写電界を形成する。給紙部２００の給紙トレイ２０１から給紙され、図２中の矢印Ｓ方向に搬送される転写材である転写紙Ｐは、二次転写ニップを通過する。この転写紙Ｐが二次転写ニップを通過する際に、中間転写ベルト７の表面上に形成されたフルカラー画像が、二次転写ローラ９と二次転写対向ローラ９ａとの間に形成された二次転写電界によって転写紙Ｐに転写される。
【００２０】
二次転写ニップに対して転写紙Ｐの搬送方向下流側に、定着装置１２が配置されている。二次転写ニップを通過した転写紙Ｐは定着装置１２に到達する。そして、定着装置１２における加熱及び加圧によって転写紙Ｐ上に転写されたフルカラー画像が定着され、画像が定着された転写紙Ｐは複写機５００の装置外に出力される。
一方、二次転写ニップで転写紙Ｐに転写されず中間転写ベルト７の表面上に残留したトナーは、転写ベルトクリーニング装置１１によって回収される。
【００２１】
図２に示すように、中間転写ベルト７の上方には、各色トナーを収容するトナーボトル４００（Ｙ，Ｍ，Ｃ，Ｋ）が複写機５００本体に対して着脱可能に配置されている。
各色トナーボトル４００に収容されたトナーは、各色に対応する不図示のトナー補給装置によって、各色の現像装置４に供給される。
現像装置４としては、トナーとキャリアとからなる二成分現像剤を用いる二成分現像方式と、トナーのみからなる一成分現像剤を用いる一成分現像方式との何れの現像方式であってもよい。
【００２２】
次に、光走査装置としての露光装置６について説明する。
図３は、露光装置６の概略断面と、各感光体２（Ｙ，Ｍ，Ｃ，Ｋ）に向けて照射されるレーザ光の経路とを示す説明図である。露光装置６はデジタルカラー書込処理システムを採用している。
【００２３】
図３に示すように、露光装置６は、正多角形の側面に反射ミラーであるポリゴンミラー６１（ａ、ｂ）を有し、高速回転によりレーザ光を偏向・走査させる回転偏向器であるポリゴンスキャナ６０を備える。また、ポリゴンスキャナ６０が反射した走査ビームの等角度運動を等速直線運動へと変えるｆθ補正機能と面倒れ補正機能とを併せ持つ走査レンズ１７（ａ、ｂ、ｃ、ｄ）を備える。さらに、ポリゴンスキャナ６０と走査レンズ１７との間を空間的に遮りつつ、レーザ光は透過させる光透過部材としての防音ガラス１５を備える。
【００２４】
また、走査レンズ１７を通過したレーザ光をそれぞれの感光体２（Ｙ，Ｍ，Ｃ，Ｋ）に導く第一反射ミラー１８（Ｙ，Ｍ，Ｃ，Ｋ）と第二反射ミラー１９（Ｙ，Ｍ，Ｃ，Ｋ）とを備える。さらに、第二反射ミラー１９（Ｙ，Ｍ，Ｃ，Ｋ）で反射され、露光装置６の外に向かって照射されるレーザ光が通過する光路上に配置され、塵や埃などのゴミが露光装置６の筐体内に落下することを防止する防塵ガラス２０（Ｙ，Ｍ，Ｃ，Ｋ）を備える。
【００２５】
露光装置６の筐体は、ベース部材であるハウジング１０（オプティカルハウジング）、カバー部材である上カバー２２及び下カバー２３によって形成されている。ハウジング１０は、ポリゴンスキャナ６０や走査レンズ１７及び反射ミラー（１８、１９）等の光学素子が配置される樹脂製の光学箱であり、上カバー２２及び下カバー２３は、光学素子が配置されたハウジング１０の内部と外部とを遮蔽するカバー部材である。また、図３では、各感光体２（Ｙ，Ｍ，Ｃ，Ｋ）に向けて照射されるレーザ光の経路を、光路１３（Ｙ，Ｍ，Ｃ，Ｋ）として示している。
【００２６】
図４は、光源部７１から照射された光線がポリゴンスキャナ６０のポリゴンミラー６１に入射するまでに通過する偏向前光学系であるポリゴン前光学系の構成例を示す露光装置の一部の斜視図である。
ポリゴンスキャナ６０への光線は、光源部７１から出射し、カップリングレンズ７２にて発散光束から並行光束に変換され、アパーチャ７３により整形される。アパーチャ７３を通過した光線はシリンドリカルレンズ７４にて副走査方向に集光され防音ガラス１５を透過してポリゴンスキャナ６０のポリゴンミラー６１へ入射する。カップリングレンズ７２、シリンドリカルレンズ７４は設置位置を調整後、接着剤にてハウジング１０に固定される。カップリングレンズ７２、アパーチャ７３及びシリンドリカルレンズ７４は、光源である光源部７１から回転偏向器であるポリゴンスキャナ６０までの光線の経路を形成する偏向前光学系形成部材である。
【００２７】
ポリゴンスキャナ６０のポリゴンミラー６１へ入射した光線は偏向されて走査レンズ１７に向か、走査レンズ１７を透過した後は図３に示すように感光体２に入射して、感光体２の表面を露光する。走査レンズ１７、第一反射ミラー１８及び第二反射ミラー１９は、回転偏向器であるポリゴンスキャナ６０で反射した後の光線の経路を形成する偏向後光学系形成部材である。
【００２８】
図５は、露光装置６におけるポリゴンスキャナ６０近傍の拡大断面図である。
ポリゴンスキャナ６０は、ハウジング１０にネジによって固定されている。ハウジング１０は、ポリゴンスキャナ６０を囲むように側壁部１０１を形成している。光源部７１からポリゴンスキャナ６０に向かう光線と、ポリゴンスキャナ６０から走査レンズ１７に向かう光線とが通過する光路となる部分は、側壁部１０１における開口部となっており、この開口部を塞ぐように防音ガラス１５が配置されている。側壁部１０１は、防音ガラス１５を配置する開口部における上部以外の三辺の縁部を形成し、この縁部を形成する部分の側壁部１０１の表面と、防音ガラス１５の端部の表面とが対向する。そして、この表面同士が対向する部分で、防音ガラス１５は両面テープで側壁部１０１に固定されている。
【００２９】
ハウジング１０を覆う上カバー２２に、防音ガラス１５上面及びハウジング１０の側壁部１０１の上面に対向するように形状を設け、防音ガラス１５及びハウジング１０と上カバー２２との間にハウジングシール部材３０を挟み込んでいる。このハウジングシール部材３０によって、防音ガラス１５及びハウジング１０と上カバー２２との接合部における隙間を埋めている。
【００３０】
第二のカバーであるポリゴンカバー３１がネジによって上カバー２２に固定されている。上カバー２２とポリゴンカバー３１との間にはポリゴンカバーシール部材３２を挟み込んでおり、このポリゴンカバーシール部材３２によって、ポリゴンカバー３１と上カバー２２との接合部における隙間を埋めている。
このような構成をとることで、ポリゴンスキャナ６０の設置空間を密閉することができ、密閉空間５０を形成することができる。
【００３１】
図６は、図５に示す断面における密閉空間５０の範囲を示す説明図であり、図６中の斜線部となっている領域が密閉空間５０となる範囲である。
【００３２】
ポリゴンスキャナ６０は多面体のミラーであるポリゴンミラー６１が高速回転しており、ポリゴンミラー６１のエッジによる風切音が発生する。ポリゴンスキャナ６０の設置空間を密閉することで、この風切音が空気を伝わって装置外部に伝達されることを抑制することができ、この風切音に起因する騒音の低減を図ることができる。一方でポリゴンスキャナ６０の設置空間を密閉することは、ポリゴンスキャナ６０の動作時に発生する熱を逃がすことができなくなり、密閉空間５０は高温となる。そのため、ポリゴンカバー３１の材料として金属（板金）を使用し、金属製のポリゴンカバー３１を介して外部に熱を逃がし、密閉空間５０の温度上昇を抑制している。
【００３３】
ポリゴンスキャナ６０はその高速回転する機能により発生する熱気流、騒音、また高速回転に伴うミラー曇りのため、図５に示すように近傍に防音ガラス１５を配置し、ハウジング１０と上カバー２２により密閉構成を取っている。モノクロ機などでは、コストダウンの観点から、防音ガラスはない場合もあるが、その場合は露光装置６等の光書き込み装置の筐体全体で密閉構成を取ることがある。
【００３４】
ポリゴンスキャナ６０の回転に伴う騒音は、ポリゴンミラー６１の一回転成分（回転周波数）の音と、ポリゴンミラー６１の一面成分（一面周波数）の音が主である。これらの音は、空気中を伝播、またポリゴンスキャナ６０を締結しているハウジング１０に伝播して音を拡散していく。
【００３５】
図７は、ポリゴンスキャナ６０を駆動させたときに生じる音の周波数毎の音圧のデータの一例を示すグラフである。六面のポリゴンミラー６１を回転数３４０００［ｒｐｍ］で回転させると、図７に示すグラフのように、一回転成分（５６６［Ｈｚ］）と、一面成分（３４００［Ｈｚ］）とがピークとして現われる。この音が騒音となることを低減させる手段として、ポリゴンスキャナ６０の周囲を密閉することが効果的であるが、密閉させるとポリゴンスキャナ６０から発生する熱を発散させにくくなるため、なるべく広い空間（密閉空間５０）で密閉するようにしている。
【００３６】
またポリゴンスキャナ６０は、故障し回転しなくなると感光体２を露光できなくなるため、部品として交換可能なように設定されていることがほとんどであり、光学部品を載せているハウジング１０を覆う上カバー２２とは別に、ポリゴンカバー３１を設けている。このため、ポリゴンスキャナ６０を密閉する密閉空間５０は、ハウジング１０、防音ガラス１５、上カバー２２、ポリゴンカバー３１等の部品により密閉されることとなり、部品や組み立てのばらつきもあるため、その密閉度は遮音の観点から見れば高くはない。
また、ポリゴンスキャナ６０の基板の下のハウジング１０に放熱用の穴を開けている場合もあり、この場合は、放熱用の穴から露光装置６の外部にポリゴンスキャナ６０の駆動時の音が漏れてしまっている。
そこで、本実施形態の露光装置６では、ポリゴンスキャナ６０の駆動により発生する音を以下で説明する吸音器８０により吸音することで、露光装置６や複写機５００の装置外に音が漏れ出る音を抑制し、騒音を低減させることを狙っている。
【００３７】
図８は、本実施形態の露光装置６に用いる吸音器８０の概略断面図であり、図９は吸音器８０の外観斜視図である。
吸音器８０は、空洞部８５を形成する壁面のうち空洞部８５と外部とを連通する連通孔８６が設けられた壁面を形成する蓋部８２と、空洞部８５の他の壁面を形成する容器部８１とからなる。図８に示すように、共鳴空間である空洞部８５の体積は「Ｖ」、連通孔８６の長さは「Ｌ」、連通孔８６の断面積は「Ｓ」で示す。吸音器８０では、連通孔８６から空洞部８５に入った特定周波数の音を吸音する。
【００３８】
容器部８１と蓋部８２とは、ペットボトルのブロー成形で製造することで一体としてもよいが、ブロー成形できる材質や厚みに限りがあることから、容器部８１と蓋部８２とは別部品とすることが望ましい。図８に示す吸音器８０では、容器部８１と蓋部８２とをねじ８３で固定する構成となっているが、別部品とした容器部８１と蓋部８２とを固定する方法としては、接着や圧入などの方法でも良い。
【００３９】
吸音器８０は、ヘルムホルツ共鳴器の原理を用いたものである。
ヘルムホルツ共鳴器を用いた吸音器は、ある程度の容積を持った空洞部と、この空洞部と外部とを連通する連通孔とによって形成される。そして、空洞部の体積を「Ｖ」、連通孔の断面積を「Ｓ」、連通孔の連通方向の長さを「Ｌ」とし、音速を「ｃ」とすると、吸音器によって吸音される音の周波数である吸音周波数「ｆ」は、以下の（１）式によって求められる。
【００４０】
【数２】
2015219455.tif 000004
（δ：開口端補正）
【００４１】
上記（１）式によって求められる吸音周波数ｆの値を、吸音対象となる音の周波数と合うように各パラメータを設定することで、吸音対象となる音を吸音することが可能となる。ポリゴンスキャナ６０の駆動音のうち、装置外部に漏れて画像形成装置の周辺にいる人間に不快感を与える騒音となる可能性が高い音を吸音対象となる音として吸音器８０で吸音することで、ポリゴンスキャナ６０の駆動時に騒音が生じることを抑制できる。
上記（１）式における「δ」は開口端補正であり、連通孔８６の入口近傍での共鳴の影響を補正するものであり、一般的に０．５前後を利用することが知られている。
【００４２】
吸音器８０は、連通孔８６から入ってきた音を吸音することから、音のする方向にこの連通孔８６を向けることや音の発生源に近いところに連通孔８６の入口を設置することで、効率的に吸音を行うことができる。このため、ポリゴンスキャナ６０で発生する音を吸音するにはポリゴンスキャナ６０に対してなるべく近い位置に連通孔８６の入口を配置することが望ましい。しかし、ポリゴンミラー６１の回転に伴う気流が連通孔８６に当たってしまうと、連通孔８６が笛と同様の効果を生じさせてしまい、別の音を発生させてしまう。このため、吸音器８０は、その連通孔８６の入口にポリゴンミラー６１の回転時に生じる気流が当たらない場所に配置する必要がある。
【００４３】
また、ポリゴンミラー６１の回転軸の軸方向（上下方向）と直角な仮想平面（水平面）のうち、ポリゴンミラー６１が位置する仮想平面上には光源部７１からの光線やポリゴンミラー６１からの走査光が通っている。このため、ポリゴンミラー６１と同一水平面となる仮想平面上に吸音器８０を配置するためにはレイアウト的な制約を受ける。このため、ポリゴンスキャナ６０から離れた位置に配置することとなり、効率よく吸音できないことが考えられる。そのため、本実施形態の露光装置６では露光装置６の筐体の外に吸音器８０を設置することで、ポリゴンミラー６１の回転によって生じる気流の影響を受けることなく吸音できる構成としている。
【００４４】
次に、吸音器８０の周辺の温度の変化と吸音周波数の変化との関係について説明する。吸音器８０の周辺の温度はポリゴンスキャナ６０の駆動時の熱などにより変動する。
図１０は、常温環境下の状態での吸音周波数ｆが７５０［Ｈｚ］となる吸音器８０の周辺の温度が変化したときの吸音周波数の変化を示すグラフである。
ここで、常温環境下とは、オフィス環境等、複写機５００等の画像形成装置の設置が想定される室内の温度環境であり、本実施形態では２３［℃］の状態を常温環境下としている。
【００４５】
図１０のグラフをみると、温度の変化に比例して吸音周波数も変化していることが分かる。これは、温度が変化することにより、音速が変化することに起因する。吸音器８０の線膨張変形により、各パラメータの値が変化することにも影響するが、音速変化の影響が大きい。温度変化に対する吸音周波数の変化率は、吸音器８０の各パラメータの値により変わってくる。しかし、ポリゴンスキャナ６０の連続駆動による熱によって温度が上昇した場合や低高温環境下で駆動する場合など、露光装置６の筐体内及び筐体近傍の温度変化は必ず起きてしまい、温度変化による吸音周波数のシフトを避けることは困難である。
【００４６】
また、ポリゴンスキャナ６０のポリゴンミラー６１の回転数が一定であれば、ポリゴンスキャナ６０の駆動時に生じる音の周波数は変化せず、吸音周波数のみシフトしていくため、結果として吸音する量が減っていくことになってしまう。
【００４７】
図１１は、本実施形態の露光装置６の筐体（１０、２２、２３）と、吸音器８０（ａ、ｂ、ｃ）との位置関係を示す正面図であり、図１は、本実施形態の露光装置６のポリゴンスキャナ６０を配置した位置における概略断面図である。
本実施形態の露光装置６では、温度変化による吸音器８０の吸音周波数のシフトを見込み、吸音周波数をずらした複数の吸音器８０を配置し、温度変化が起きても吸音対象となる周波数の音を、どれかの吸音器８０で吸音できるようにしている。レイアウト、コストの観点から、吸音器８０を配置する数はなるべく少ないことが望ましい。
【００４８】
画像形成装置の線速が複数ある場合、ポリゴンスキャナ６０も複数の回転数で対応することが多いが、その場合は線速ごとに吸音器８０を用意し、それぞれに対し温度変化分の吸音器８０を用意する。吸音器８０の数が多くなってしまいレイアウトに入らない際は、ポリゴンスキャナ６０が同じものであれば、ポリゴンスキャナ６０の回転数が高いほど騒音として聞こえる音は大きくなるため、回転数が高い条件に合わせた吸音器８０を準備するとよい。また、複数の吸音器８０をそれぞれ別の形状とするのでなく、容器部８１は共通とし、蓋部８２の寸法を変更することで、ある温度における吸音周波数が互いに異なる複数の吸音器８０を安価に用意することができる。
【００４９】
連続印刷時などはポリゴンスキャナ６０が連続で回転駆動するが、その際のポリゴンスキャナ６０から発生する熱は上方向に向かうため、ポリゴンスキャナ６０の下方より上方のほうが熱くなりやすい。吸音器８０は温度が上がると、吸音周波数も上がっていくので、ポリゴンスキャナ６０の下方に配置するよりも、上方に配置した方が吸音周波数の変化が早いこととなる。
そこで、図１及び図１１に示すように、露光装置６では、三つの吸音器８０（第一吸音器８０ａ、第二吸音器８０ｂ、第三吸音器８０ｃ）のうちの一つである第一吸音器８０ａをポリゴンスキャナ６０の下方に設置している。
【００５０】
三つの吸音器８０（第一吸音器８０ａ、第二吸音器８０ｂ、第三吸音器８０ｃ）は、ある温度における吸音周波数が互いに異なる吸音器８０である。そして、画像形成装置の使用環境として最も一般的と考えられる常温環境下（２３［℃］）での吸音周波数と、ポリゴンスキャナ６０駆動時に生じる音のうちの吸音対象となる音の周波数との差が最も小さいのが第一吸音器８０ａである。このような第一吸音器８０ａをポリゴンスキャナ６０の下方に配置することで、常温環境化でポリゴンスキャナ６０の駆動時に生じる騒音となるおそれのある音を効率よく吸音することができる。
【００５１】
図１２は、本実施形態の露光装置６が備える三つの吸音器８０（第一吸音器８０ａ、第二吸音器８０ｂ、第三吸音器８０ｃ）について、その周辺の温度が変化したときの吸音周波数の変化を示すグラフである。
図１２に示すように、常温環境下（２３［℃］）の吸音周波数は第一吸音器８０ａが７５０［Ｈｚ］、第二吸音器８０ｂが７３３［Ｈｚ］、第三吸音器８０ｃが７６３［Ｈｚ］となっている。本実施形態では、ポリゴンスキャナ６０を駆動したときに生じる音のうち、騒音となる可能性が高く、吸音するべき音の周波数である吸音対象周波数を７５０［Ｈｚ］とする。そして、図１及び図１１に示すように、常温環境下での吸音周波数と吸音対象周波数との差が最も小さい第一吸音器８０ａをポリゴンスキャナ６０の直下に配置している。
【００５２】
第一吸音器８０ａ以外の吸音器８０（第二吸音器８０ｂ、第三吸音器８０ｃ）をポリゴンスキャナ６０よりも上方に配置している。これにより、ポリゴンスキャナ６０の下方に複数の吸音器８０を設ける空間を確保できなくても、常温環境下における吸音周波数が互いに異なる複数の吸音器８０を備える構成を実現することができる。また、図１及び図１１に示すように、第二吸音器８０ｂをポリゴンスキャナ６０の真上に配置し、第三吸音器８０ｃをポリゴンスキャナ６０の真上から外れた位置に配置している。
【００５３】
第一吸音器８０ａは、常温環境下での吸音周波数を吸音対象周波数の７５０［Ｈｚ］近傍に設定する。この第一吸音器８０ａでは、例えば、７５０±１０［Ｈｚ］の範囲で吸音できるとすると、図１２に示す関係を満たすことにより、１６［℃］〜３２［℃］の範囲の環境まで吸音できることになる。
そして第一吸音器８０ａの吸音範囲以外を補う構成として、本実施形態では、第二吸音器８０ｂの常温環境下における吸音周波数を７３３［Ｈｚ］に設定し、第三吸音器８０ｃの常温環境下における吸音周波数を７６３［Ｈｚ］に設定している。この構成では、図１２に示す関係を満たすことにより、５［℃］〜４５［℃］の範囲で温度変化に対応して吸音できることになる。
なお、図には示していないが、吸音器８０は複写機５００本体側の板金部材や樹脂部材、または、露光装置６の上カバー２２等にねじなどで取り付けることで所定の配置に設置することができる。
【００５４】
従来の光走査装置は、光源、回転偏向器であるポリゴンスキャナ、光源からポリゴンスキャナまでの光線の経路に設置するポリゴン前光学系、走査レンズ、折り返しミラーなどを備えている。
そして、これらの構成部品は、光走査装置のベース部材に取り付けられ、構成物品に塵や埃が付着しないようにベース部材に取り付けられた構成物品をカバー部材で覆い、ベース部材とカバー部材とによって光走査装置の筐体を形成している。さらに、筐体の外に向かって照射される光線が通過する光路となる筐体の開口部には防塵ガラスを設置し、筐体の内部と外部とを遮蔽して、筐体内に塵や埃が進入することを防止する構成を備えている。
【００５５】
このように、ポリゴンスキャナを含めた構成部品を外部と遮蔽された筐体内に配置する構成では、ポリゴンスキャナから発生する音が外部に漏れ出ることをある程度防止することが可能となる。
しかしながら、光走査装置の筐体全体を外部に対して遮蔽し、密閉しようとすると、密閉のレベルが落ちてしまい、ポリゴンスキャナから発生する音が装置の外部に多分に漏れ出てしまう問題がある。
また、ポリゴンスキャナを格納する一定の小さな空間を密閉することが考えられるが、小さな空間を密閉するとポリゴンスキャナの温度上昇の懸念がある。
【００５６】
このような問題を解決可能な構成として、ポリゴンスキャナの近傍に共鳴吸音器を設ける構成が考えられる。
しかし、共鳴吸音器を備えた従来の光走査装置のように、ポリゴンスキャナの近傍に共鳴吸音器を設けるのみでは、次のような問題が生じる。すなわち、ポリゴンスキャナにて発生する熱や画像形成装置周囲の環境温度変化により空気中の音速が変化することで共鳴吸音器で吸音できる周波数がシフトしてしまう。その結果、画像形成装置周囲の環境温度が低い冬場や、連続通紙時にポリゴンスキャナの周辺の温度が上昇したときなどの状況ではポリゴンスキャナから生じる音を狙い通りに吸音できないという問題があった。
【００５７】
これに対して、本実施形態の光走査装置である露光装置６では、ポリゴンスキャナ６０の近傍に複数個の吸音器８０を設け、ある温度における吸音周波数がそれぞれの吸音器８０で異なる構成となっている。温度変化によって吸音周波数が変化し、温度変化前に吸音対象となる音を吸音していた吸音器８０が吸音できなくなっても、温度変化によって他の吸音器８０の吸音周波数が変化して、吸音対象となる音を吸音することが可能となる。このため、吸音器８０周辺の温度が変化してもポリゴンスキャナから生じる音のうちの吸音対象となる周波数の音を逃すことなく、吸音することが可能となる。
【００５８】
本実施形態の露光装置６は、吸音周波数が互いに異なる複数の吸音器８０を備えることで、複数の吸音器８０を配置し、温度変化が起きても吸音対象となる周波数の音を、吸音可能な構成となっている。また、第一吸音器８０ａを温度変化の生じ難いポリゴンスキャナ６０の下方に配置することで、常温環境化で吸音対象となる周波数の音を効率よく吸音することができる。温度変化が起きても吸音対象となる周波数の音を吸音可能であり、常温環境化で吸音対象となる周波数の音を効率よく吸音することができるため、吸音対象となる音が装置の外部に漏れることを従来よりも安定的に抑制することができる。
このような露光装置６を備える複写機５００は、光走査装置である露光装置６から生じる音に起因する騒音が生じ難い構成を実現できる。
【００５９】
〔参考構成例〕
次に、本実施形態に係る参考構成例について説明する。
図１３は、参考構成例の露光装置６の上面図であり、図１４は、参考構成例の露光装置６の側面図である。
参考構成例の露光装置６は、上述した実施形態の露光装置６に対して吸音器８０の配置が異なり、他の構成は共通するため、吸音器８０の配置以外の構成については説明を省略する。
【００６０】
参考構成例の露光装置６は、上述した実施形態の露光装置６と同様に、図４を用いて説明した露光装置６の一部であるポリゴン前光学系を上カバー２２の下方に備えている。部材の配置を示すため、図１３では、図４に示したポリゴン前光学系の枠、光源部７１及び走査レンズ１７を図中の破線で示している。そして、ポリゴンスキャナ６０は、図１３中の第二吸音器８０ｂの真下に位置する。
【００６１】
ポリゴンスキャナ６０の下方に作像部などの熱源となるものが存在し、ポリゴンスキャナ６０から発生する熱よりもその熱源の方が温度上昇に対して支配的である場合は、ポリゴンスキャナ６０の下方は温度上昇が生じ易い領域となる。このような場合に、常温環境下での吸音周波数と吸音対象周波数との差が最も小さい第一吸音器８０ａをポリゴンスキャナ６０の真下に配置しても、常温環境化で騒音となるおそれのある音を効率よく吸音することができるという利点が得られない。
このため、温度上昇に対して支配的な熱源がポリゴンスキャナ６０の下方にある場合は、常温環境下での吸音周波数と吸音対象周波数との差が最も小さい第一吸音器８０ａをポリゴンスキャナ６０の上方に設置しても良い。
【００６２】
露光装置６ではポリゴンスキャナ６０が熱源の中心であるが、レーザーダイオード等の光源も熱源であるため、光源の近い位置が光源よりも遠い位置よりも温度変化が大きくなる傾向にある。
これに対して、参考構成例の露光装置６は、図１３に示すように、常温環境下での吸音周波数と吸音対象周波数との差が最も小さい第一吸音器８０ａを、光源が配置された光源部７１に対してポリゴンスキャナ６０を挟んで、反対側に設置している。これにより、温度変化が比較的に小さい領域に第一吸音器８０ａを配置することができ、常温環境化でポリゴンスキャナ６０の駆動時の騒音となるおそれのある音を効率よく吸音することができる。
【００６３】
参考構成例の光走査装置である露光装置６は、光源部７１等のから照射された光線を回転しながら反射し、偏向して光走査するポリゴンスキャナ６０等の回転偏向器を有する。さらに、光線の経路を形成するカップリングレンズ７２、アパーチャ７３、シリンドリカルレンズ７４、走査レンズ１７、第一反射ミラー１８及び第二反射ミラー１９等の光学系形成部材と、吸音周波数の音を吸音する共鳴吸音器である吸音器８０とを有する。また、吸音器８０として、常温環境下における吸音周波数が互いに異なる複数の共鳴吸音器として、第一吸音器８０ａ、第二吸音器８０ｂ及び第三吸音器８０ｃを備える。さらに、複数の吸音器８０のうち常温環境下における吸音周波数と、吸音対象周波数との差が最も小さくなる第一共鳴吸音器である第一吸音器８０ａを、ポリゴンスキャナ６０を挟んで光源部７１の反対側に配置している。
また、複数の吸音器８０のうちの第一吸音器８０ａ以外の少なくとも一つの吸音器８０である第三吸音器８０ｃをポリゴンスキャナ６０を挟んで光源部７１側に配置している。
【００６４】
光源は熱源となるため、ポリゴンスキャナ６０を挟んで光源部７１の反対側に第一吸音器８０ａを設置することで、常温環境下における吸音周波数の温度変化の影響を少なくすることができ、常温環境下で吸音効率を向上させることができる。
【００６５】
また、参考構成例の露光装置６は、図１３中の下方及び図１４中の右側が、複写機５００における手前側、すなわち使用者が立って操作を行う側となる。
このため、参考構成例の露光装置６は、複数の吸音器８０のうち常温環境下における吸音周波数と、吸音対象周波数との差が最も小さくなる常温対応共鳴吸音器である第一吸音器８０ａを、ポリゴンスキャナ６０を挟んで装置手前側に配置した構成となっている。
複数の吸音器８０のうちの第一吸音器８０ａ以外の少なくとも一つの吸音器８０である第三吸音器８０ｃを、ポリゴンスキャナ６０を挟んで装置奥側に配置している。
【００６６】
ポリゴンスキャナ６０を挟んで装置手前側に第一吸音器８０ａを配置することで、ポリゴンスキャナ６０から装置手前側に立っている使用者に向かって伝達する吸音対象となる音を、常温環境下において効率的に吸音することができる。
さらに、装置奥側は熱源と成り得る駆動部が配置されて要る場合は、装置の奥側ほど温度変化が生じ易く、装置の手前側ほど温度変化が生じ難い。駆動源が熱源となる場合に、温度変化が生じ難い装置手前側の第一吸音器８０ａを配置することで、常温環境下における吸音周波数の温度変化の影響を少なくすることができ、常温環境下で吸音効率を向上させることができる。
【００６７】
以上に説明したものは一例であり、本発明は、次の態様毎に特有の効果を奏する。
（態様Ａ）
光線を照射する光源部７１等の光源と、光源から照射された光線を回転しながら反射し、偏向して光走査するポリゴンスキャナ６０等の回転偏向器と、光線の経路を形成するカップリングレンズ７２、アパーチャ７３、シリンドリカルレンズ７４、走査レンズ１７、第一反射ミラー１８及び第二反射ミラー１９等の光学系形成部材と、吸音周波数の音を吸音する吸音器８０等の共鳴吸音器と、を有する露光装置６等の光走査装置において、共鳴吸音器として２３［℃］の温度条件等の常温環境下における吸音周波数が互いに異なる複数の共鳴吸音器を備え、該複数の共鳴吸音器のうち常温環境下における吸音周波数と、回転偏向器が回転駆動することによって生じる音に含まれる吸音対象となる音の周波数との差が最も小さい共鳴吸音器を第一吸音器８０ａ等の常温対応共鳴吸音器としたときに、該複数の共鳴吸音器のうちの少なくとも該常温対応共鳴吸音器を回転偏向器の下方に配置する。
これによれば、上記実施形態について説明したように、常温環境下における吸音周波数が互いに異なる複数の共鳴吸音器を備えることにより、温度変化が生じても回転偏向器の回転駆動時に騒音が生じることを安定的に抑制することが可能となる。これは、以下の理由による。
すなわち、回転偏向器を駆動したときに生じる音には、様々な周波数の音が混ざっている。このような音のうち、装置外部に漏れて、画像形成装置の周辺にいる人間に不快感を与える騒音となる可能性が高い周波数の音を、吸音対象となる音として共鳴吸音器で吸音することにより回転偏向器の回転駆動時に騒音が生じることを抑制できる。
ある温度環境下で吸音対象となる音を吸音できていた共鳴吸音器が、温度変化によって吸音周波数が変化すると吸音対象となる音を吸音できなくなる。しかし、態様Ａでは、常温環境下における吸音周波数が互いに異なる複数の共鳴吸音器の吸音周波数が温度変化によってそれぞれ変化する。このため、温度変化前に吸音対象となる音を吸音できていた共鳴吸音器が吸音できなくなっても、温度変化前は吸音対象となる音を吸音できなかった他の共鳴吸音器の吸音周波数が吸音対象となる音の周波数にシフトして、吸音することができるようになる。よって、温度が変化しても共鳴吸音器による吸音効果を維持することができ、温度変化に対して安定的に吸音対象となる音を吸音することが可能となり、回転偏向器の回転駆動時に騒音が生じることを安定的に抑制することが可能となる。
また、態様Ａの光走査装置は、複数の共鳴吸音器のうちの少なくとも常温対応共鳴吸音器を回転偏向器の下方に配置している。この構成により、回転偏向器の駆動によって温度が上昇しても、常温環境下であれば、回転偏向器の回転駆動時に騒音が生じることを安定的に抑制することが可能となる。これは、以下の理由による。
すなわち、回転偏向器の駆動によって生じる熱は上方に伝達するため、回転偏向器の下方は温度が上昇し難く、回転偏光器の駆動による温度変化が生じ難い。このため、光走査装置を使用し、回転偏向器の駆動によって周辺の温度が上昇しても、回転偏向器の下方は駆動前の温度に近い温度状態を維持することができる。このとき、駆動前の温度環境が常温環境下であれば、回転偏向器の駆動によって周辺の温度が上昇しても、回転偏向器の下方に配置された常温対応共鳴吸音器の周囲の温度は常温環境下に近い温度状態を維持でき、常温対応共鳴吸音器の吸音周波数を、吸音対象となる音に近い状態に維持することができる。よって、常温環境下であれば、回転偏向器の駆動によって温度が上昇しても、吸音対象となる音を安定的に吸音することが可能となり、回転偏向器の回転駆動時に騒音が生じることを安定的に抑制できる。
さらに、光走査装置の使用環境としては、様々な温度環境が考えられるが、最も一般的とし考えられる温度環境は常温環境下である。態様Ａに係る光走査装置は、常温対応共鳴吸音器を回転偏向器の下方に配置することで、光走査装置の使用環境として最も一般的とし考えられる常温環境下で、回転偏向器の回転駆動時に騒音が生じることを安定的に抑制できる。
【００６８】
（態様Ｂ）
態様Ａにおいて、複数の共鳴吸音器のうち第一吸音器８０ａ等の常温対応共鳴吸音器以外の第二吸音器８０ｂ及び第三吸音器８０ｃ等の共鳴吸音器の少なくとも一つをポリゴンスキャナ６０等の回転偏向器よりも上方に配置する。
これによれば、上記実施形態について説明したように、回転偏向器の下方に複数の共鳴吸音器を設ける空間を確保できなくても、常温環境下における吸音周波数が互いに異なる複数の共鳴吸音器を備える構成を実現することができる。
【００６９】
（態様Ｃ）
態様ＡまたはＢの何れかの態様において、ポリゴンスキャナ６０等の回転偏向器及びカップリングレンズ７２、アパーチャ７３、シリンドリカルレンズ７４、走査レンズ１７、第一反射ミラー１８、第二反射ミラー１９等の光学系形成部材を保持するハウジング１０等の光学系保持部材と、光学系保持部材を覆って密閉する上カバー２２等の光学系カバー部材とを有する。
これによれば、上記実施形態について説明したように、回転偏向器を駆動することによって生じる音が、空気を伝わって装置外部に漏れることを抑制することができ、回転偏向器を駆動することによって生じる音に起因する騒音の低減を図ることができる。
【００７０】
（態様Ｄ）
態様Ａ乃至Ｃの何れの態様において、吸音器８０等の共鳴吸音器は、空洞部８５等の空洞部を形成する壁面のうち空洞部と外部とを連通する連通孔８６等の連通孔が設けられた壁面を形成する蓋部８２等の蓋部材と、空洞部の他の壁面を形成する容器部８１等の容器部材とを備え、２３［℃］等の常温環境下における吸音周波数が互いに異なる複数の共鳴吸音器は、蓋部材の連通孔の寸法が互いに異なる構成である。
これによれば、上記実施形態について説明したように、蓋部材の連通孔の寸法を変えることで、ある温度における吸音周波数が互いに異なる複数の吸音器８０を安価に用意することができる。
【００７１】
（態様Ｅ）
感光体２等の潜像担持体の表面に光走査手段を用いて光線を照射することにより潜像担持体の表面に潜像を形成し、潜像を現像することで得た画像を最終的に転写紙Ｐ等の記録材上に転移させることで画像を形成する複写機５００等の画像形成装置において、光走査手段として、態様Ａ乃至Ｄの何れかの態様に係る露光装置６等の光走査装置を用いる。
これによれば、上記実施形態について説明したように、光走査装置における吸音対象となる音が装置の外部に漏れることを従来よりも安定的に抑制することができるため、光走査装置から生じる音に起因する騒音が生じ難い構成を実現できる。
【符号の説明】
【００７２】
１プロセスカートリッジ
２  感光体
３  帯電部材
４  現像装置
５  感光体クリーニング装置
６  露光装置
７  中間転写ベルト
８  一次転写ローラ
９  二次転写ローラ
９ａ  二次転写対向ローラ
１０  ハウジング
１１  転写ベルトクリーニング装置
１２  定着装置
１３  光路
１５  防音ガラス
１７  走査レンズ
１８  第一反射ミラー
１９  第二反射ミラー
２０  防塵ガラス
２２  上カバー
２３  下カバー
３０  ハウジングシール部材
３１  ポリゴンカバー
３２  ポリゴンカバーシール部材
５０  密閉空間
６０  ポリゴンスキャナ
６１  ポリゴンミラー
７１  光源部
７２  カップリングレンズ
７３  アパーチャ
７４  シリンドリカルレンズ
８０  吸音器
８０ａ  第一吸音器
８０ｂ  第二吸音器
８０ｃ  第三吸音器
８１  容器部
８２  蓋部
８５  空洞部
８６  連通孔
１００  プリンタ部
１０１  側壁部
２００  給紙部
２０１  給紙トレイ
３００  スキャナ部
４００  トナーボトル
５００  複写機
Ｐ  転写紙
【先行技術文献】
【特許文献】
【００７３】
【特許文献１】特開２０１０−１１７４９８号公報
【特許文献２】特開２００５−２０２１１７号公報
【特許文献３】特開２００３−４３８６１号公報
【特許文献４】特許３４７３８８５号
【図１】
2015219455.tif 000005
【図２】
2015219455.tif 000006
【図３】
2015219455.tif 000007
【図４】
2015219455.tif 000008
【図５】
2015219455.tif 000009
【図６】
2015219455.tif 000010
【図７】
2015219455.tif 000011
【図８】
2015219455.tif 000012
【図９】
2015219455.tif 000013
【図１０】
2015219455.tif 000014
【図１１】
2015219455.tif 000015
【図１２】
2015219455.tif 000016
【図１３】
2015219455.tif 000017
【図１４】
2015219455.tif 000018